(57)【要約】【課題】暖房器本体に離れた場所から燃焼開始の指示を与えることが出来るリモコン装置で、誤操作や物の落下等で不用意に燃焼が開始されないようにする。【解決手段】暖房器本体１と、該暖房器本体１に制御信号を赤外線で送信するリモコン装置７とを備え、前記リモコン装置７から暖房器本体１への少なくとも運転開始信号は、所定のスイッチの第１操作でタイマー手段８が所定時間のカウントを開始し、この所定時間以内の次のスイッチの第２操作で送信されるようにしたので、必ず２操作しなければ運転開始の信号が送信されないので、子供のいたずら又はペットや物の落下等によって人のいない時或いは使用者が意図していないにもかかわらず、燃焼が開始されてしまうような危険がなく、安心して使用出来るものである。【選択図】  図５
2006138532.tif 000002
【特許請求の範囲】
【請求項１】
暖房器本体と、該暖房器本体に制御信号を赤外線で送信するリモコン装置とを備え、前記リモコン装置から暖房器本体への少なくとも運転開始信号は、所定のスイッチの第１操作でタイマー手段が所定時間のカウントを開始し、この所定時間以内の次のスイッチの第２操作で送信されるようにした事を特徴とする暖房器具の制御装置。
【請求項２】
前記第１操作と第２操作は、同一のスイッチを使用して行われる事を特徴とする請求項１記載の暖房器具の制御装置。
【発明の詳細な説明】
【技術分野】
【０００１】
この発明は、ＦＦ式ストーブやファンヒーターと言われる暖房器具の制御装置に関するものである。
【背景技術】
【０００２】
従来よりこの種のものでは、暖房器本体から離れた場所からでも該暖房器本体を制御するようにワイヤレス式のリモコン装置を備え、その使用上の便利さを計るものであり
、又このリモコン装置にはロックスイッチを備えて該ロックスイッチをＯＮすることで、消火指示しか受付ないようにすることで、誤操作や子供のいたずら又はペットや物の落下等によって使用者の意図に反してリモコン装置のスイッチが押圧される事による危険を防止するものであった。（例えば、特許文献１参照。）
【特許文献１】実公平１−２５２４０号公報
【発明の開示】
【発明が解決しようとする課題】
【０００３】
ところでこの従来のものでは、ロックスイッチを設けたとしてもこのスイッチをＯＮ操作しなければロック状態とはならない為、上記の危険を確実に防止することは出来ず、特に暖房器本体の燃焼を開始させる運転スイッチもリモコン装置に備えられているので、子供のいたずら又はペットや物の落下等によって人のいない時或いは使用者が意図していないにもかかわらず、燃焼が開始され知らないうちに暖房が行われ、燃料の無駄は勿論、それより無人の燃焼で火災等の大きな災害につながる問題点を有するものであった。
【課題を解決するための手段】
【０００４】
この発明はこの点に着目し上記欠点を解決する為、特にその構成を、暖房器本体と、該暖房器本体に制御信号を赤外線で送信するリモコン装置とを備え、前記リモコン装置から暖房器本体への少なくとも運転開始信号は、所定のスイッチの第１操作でタイマー手段が所定時間のカウントを開始し、この所定時間以内の次のスイッチの第２操作で送信されるようにしたものである。
【発明の効果】
【０００５】
この発明によれば、必ず２操作しなければ運転開始の信号が送信されないので、子供のいたずら又はペットや物の落下等によって人のいない時或いは使用者が意図していないにもかかわらず、燃焼が開始されてしまうような危険がなく、安心して使用出来るものであり、更に誤操作を防止しながら複雑な操作を強いることなく、簡単な２操作で運転開始までもリモコンで可能としたことにより、極めて利便性が向上し使用勝手が良いものである。
【発明を実施するための最良の形態】
【０００６】
次にこの発明に係る暖房器具の制御装置を図面に示された好適な一実施形態で説明する。
１は内部にバ−ナ部を備え、背面に備えられた対流ファン（図示せず）よりの送風で燃焼熱をそのまま温風として、温風吹出口２より放出して室内の暖房を行うファンヒ−タ−と言われる暖房器本体である。
【０００７】
３は前記暖房器本体１上面に設けられた表示部で、赤外線信号を受信する受信部４を備えると共に、種々の運転状態を表示するランプ群５と、室温及び設定温度及びタイマ−時間をそれぞれ切替表示するデジタル表示６とを備えている。
【０００８】
７は複数のプッシュ式のスイッチを備え、暖房器本体１を離れた所から赤外線信号を発して制御するカ−ド型のリモコン装置で、押圧される毎にタイマー手段８がカウントを開始して３秒間の所定時間の間リモコン装置７を運転開始を出力可能のスタンバイ状態に保持する運転１スイッチ９と、このスタンバイ状態の時に押圧されることで暖房器本体１に運転開始の指示信号を出力させると共に、再度押圧されることで暖房器本体１に運転停止の信号を出力させる運転２スイッチ１０と、運転開始から３時間後に自動的に消火させる３時間タイマ−の延長スイッチ１１、設定時間後に自動的に運転開始させる点火タイマ−動作を行わせるタイマ−スイッチ１２、タイマ−時間及び設定温度の調節用アップ、ダウンスイッチ１３、１４が備えられている。
【０００９】
次に図４に示す電気回路図について説明すれば、１５は暖房器本体１内に備えられた記憶、演算、カウントによるタイマ−手段及び判定機能等を有したマイクロコンピュ−タ−（以下マイコンと称す）から成る主制御装置で、入力側には受信部４及び室温を検知するサ−ミスタから成る室温センサ−１６を接続し、又出力側にはランプ群５及びデジタル表示６及び暖房器本体１の駆動回路１７が接続されている。
【００１０】
１８はリモコン装置７内に備えられたタイマー手段８を内蔵したマイコンから成る副制御装置で、入力側には運転１スイッチ９、運転２スイッチ１０、延長スイッチ１１、タイマ−スイッチ１２、調節用アップ、ダウンスイッチ１３、１４が備えられ、出力側にはスイッチング素子２０を介して赤外線信号を発する発信部２１を備えており、前記各スイッチの押圧を副制御装置１８が判断し、スタンバイ状態や制御信号を発信部２１を介して主制御装置１５に入力させ各種の運転制御を行わせるものである。
【００１１】
前記運転開始信号の３秒間のスタンバイ状態が経過した後は、タイマー手段８がクリアーされて運転２スイッチ１０による運転開始信号の出力指示を無効とするものであり、又リモコン装置７及び暖房器具本体１のどちらかに、このスタンバイ状態を表示するランプ等の表示を設けると、運転開始の指示信号が入らない理由がリモコン装置７の電源切れ等の他の理由で発生しているものとの区別がつき、更に使用便利となる。
【００１２】
又このリモコン装置７の運転１スイッチ９と運転２スイッチ１０は、リモコン装置７の表面より窪んだ状態で取り付けられ、リモコン装置７の表面を触ったり、裏返しになってもスイッチが入らないように工夫され、安全性を高めているものである。
【００１３】
次にこの一実施形態の作動について図５のフロ−チャ−トに従って説明する。
今暖房器本体１が運転停止の時、リモコン装置７の運転１スイッチ９を押圧すれば（ステップ２２）、そしてステップ２３でタイマー手段８が３秒間のカウントを行うスタンバイ状態となり、ステップ２４で３秒間の所定時間経過したかを判断し、ＹＥＳではステップ２５でクリアーとなり、ＮＯではステップ２６でこのスタンバイ中に運転２スイッチ１０が押圧されるかを見て、押圧されればＹＥＳでステップ２７でリモコン装置７から暖房器本体１に運転開始の信号を出力させて、該暖房器本体１が燃焼を開始し暖房運転を行うものである。
【００１４】
従って、暖房器本体１の運転開始も器具から離れた位置からリモコン装置７で操作することが出来、極めて便利であり、更にこの運転開始の信号は、必ず２操作しなければ運転開始の信号が送信されないので、子供のいたずら又はペットや物の落下等によって人のいない時或いは使用者が意図していないにもかかわらず、燃焼が開始されてしまうような危険がなく、安心して使用出来るものであり、更に誤操作を防止しながら複雑な操作を強いることなく、簡単な２操作で運転開始までもリモコンで可能としたことにより、極めて利便性が向上し使用勝手が良いものである。
【００１５】
次に他の実施形態である図６について、前記一実施形態と同一部分は同一符号を付し、相違する部分のみを説明する。
２８は運転開始スイッチで、一回目の押圧でタイマー手段８が３秒間のカウントを行うスタンバイ状態となり、このスタンバイ中に前記運転開始スイッチ２８押圧解除後の二回目の押圧で、リモコン装置７から暖房器具本体１へ運転開始信号が出力されるものであり、一つのスイッチの複数回操作で行われるので、極めて操作性及び使用勝手が良いものである。
２９は運転停止スイッチである。
【図面の簡単な説明】
【００１６】
【図１】この発明一実施形態を付した暖房器具の斜視図。
【図２】同リモコン装置の平面図。
【図３】同リモコン装置の断面図
【図４】同電気回路図。
【図５】同フロ−チャ−ト。
【図６】他の実施形態を示すリモコン装置の平面図。
【符号の説明】
【００１７】
１  暖房器本体
７  リモコン装置
８  タイマー手段
９  運転１スイッチ
１０  運転２スイッチ
２８  運転開始スイッチ
【図１】
2006138532.tif 000003
【図２】
2006138532.tif 000004
【図３】
2006138532.tif 000005
【図４】
2006138532.tif 000006
【図５】
2006138532.tif 000007
【図６】
2006138532.tif 000008